(57)【要約】【課題】組み立て時の部品の誤組立や部品不良を容易に発見できる電気掃除機を提供する。【解決手段】本発明の電気掃除機は、集塵室４０の開口部を開閉自在に覆う集塵室蓋５５と、前記集塵室４０の開口縁部または仕切壁の上端に設けられた弾性を有するパッキン部（パッキン）７０ａと、前記パッキン部７０ａの外周に、弾性体からなるプロテクター７０とを備え、前記プロテクター７０を略透明とした。これにより、集塵室蓋５５やパッキン部７０ａの成型不良や部品不良、またはパッキン部７０ａの誤組立などで、パッキン部７０ａと集塵室蓋５５が当接していない場合でも、プロテクター７０が略透明のため、作業者は本体を分解することなく、外から発見することができる。また、プロテクター７０と対向する部品であれば、各部品の異常や誤組立も分解することなく発見できる。【選択図】図１
2006320457.tif 000002
【特許請求の範囲】
【請求項１】
電動送風機を配置した電動送風機室と、前記電動送風機室と仕切壁を介して併設され、塵埃を収集する集塵室と、前記集塵室の開口部を開閉自在に覆う集塵室蓋と、前記集塵室の開口縁部または前記仕切壁の上端に設けられた弾性を有するパッキンと、前記パッキンの外周に、弾性体からなるプロテクターを備え、前記プロテクターを略透明とした電気掃除機。
【請求項２】
プロテクターとパッキンとを一体に形成した請求項１に記載の電気掃除機。
【請求項３】
本体上と本体下から構成される掃除機本体を備え、プロテクターは前記本体上と本体下で狭持されるとともに、前記プロテクターの上方あるいは下方にはリード線を通す溝部を設けた請求項１または２記載の電気掃除機。
【請求項４】
プロテクターに、他の部品に取り付けるための係止部材を形成した請求項１〜３のいずれか１項に記載の電気掃除機。
【請求項５】
プロテクターの表面に凹凸を設けた請求項１〜４のいずれか１項に記載の電気掃除機。
【発明の詳細な説明】
【技術分野】
【０００１】
本発明は、電気掃除機に関するもので、特に衝突時の衝撃を吸収するプロテクターに関するものである。
【背景技術】
【０００２】
従来の電気掃除機について、図９を用いて説明する。図９において、電気掃除機の掃除機本体１の外郭は本体カバー下２と、本体カバー上３と、集塵室４を開閉自在に覆う集塵室蓋５から構成され、本体カバー下２の前部には、ホース（図示せず）が接続されると共に、集塵室４に連通する吸気口６が設けられている。７は、軟質塩化ビニールで成形された部材であるプロテクターで、略Ｕ字状に形成され、本体カバー下２の前部から両側部にかけて取着されている。図９（ｂ）は、プロテクター７及びその取り付け部の構成を示す断面図で、プロテクター７の下部は、本体カバー下２の上端２ａに嵌合され、本体カバー下２の外壁２ｂとプロテクター７の裏面７ａとの間に空間７ｃを確保するように、プロテクター７の下端７ｂが本体カバー下２の外壁２ｂに当接させている。プロテクター７は集塵室蓋５と当接し、集塵室４を気密に保つためのパッキン部７ａを備えている（例えば、特許文献１参照）。
【０００３】
また、他の電気掃除機では、本体内前方に形成された集塵収納部に、吸引された塵埃を分離しまた捕集する透明または半透明の材質からなる集塵室が取外し自在に装着されており、集塵収納部の後方には吸引風を発する電動送風機等が内蔵され、さらに本体には他の部品、すなわち前記電動送風機の消費電力等を制御する制御部等の電気系統が内蔵されている。本体下の集塵収納部左右側面は、略Ｕ字状にえぐれており、周囲を軟質のプロテクターで取り巻いた透明の側壁を別部品で取り付けている。側壁の上部にはＵ字型の溝部を設けており、ホース継ぎ手に取り付けられた端子等の電気部品と本体に内蔵された制御部とを電気的につなぐリード線を圧入気味にセットしている。本体下の上方には本体上を配し、側壁を挟み込む形で固定している（例えば、特許文献２参照）。
【特許文献１】特開平８−１０１９３号公報
【特許文献２】特開２００４−３３７４９６号公報
【発明の開示】
【発明が解決しようとする課題】
【０００４】
しかし、従来の電気掃除機のプロテクター構成では、パッキンに当接すべき集塵室蓋が成形不良などの部品不良で、パッキンに当接していない場合でも、パッキンがプロテクターに遮られて本体を分解することなしでは発見することが困難であり、そのまま使用すると集塵室内の真空度を十分に保つことができず、吸い込み力が低下するという課題がある。パッキンの部品不良が発生した場合も同様である。また、パッキンが本体下の正規の位置にセットされていない場合も同様である。さらにプロテクターは軟質のため、組み立て時に本体上、下と噛み込みやすく、噛みこんだ場合でもプロテクターが軟質のため、変形したまま無理やり組み立てることができる場合もあり、作業者は気付きにくいという問題があった。また、リード線が正規の位置にセットされていない状態で組み立ててしまっても、外から発見することもできない。
【０００５】
本発明は、前記従来の課題を解決するもので、組み立て時の部品の誤組立や部品不良を容易に発見できる電気掃除機を提供する事を目的とする。
【課題を解決するための手段】
【０００６】
前記従来の課題を解決するために、本発明の電気掃除機は、電動送風機を配置した電動送風機室と、前記電動送風機室と仕切壁を介して併設され、塵埃を収集する集塵室と、前記集塵室の開口部を開閉自在に覆う集塵室蓋と、前記集塵室の開口縁部または前記仕切壁の上端に設けられた弾性を有するパッキンと、前記パッキンの外周に、弾性体からなるプロテクターを備え、前記プロテクターを略透明からなる材料で形成した電気掃除機としたもので、集塵室蓋やパッキンの成型不良や部品不良、またはパッキンの誤組立などで、パッキンと集塵室蓋が当接していない場合でも、衝突時の衝撃を緩和するプロテクターが略透明のため、作業者は本体を分解することなく、外から発見することができる。
【発明の効果】
【０００７】
本発明の電気掃除機は組み立て時の部品の誤組立や部品不良を容易に発見できるものである。
【発明を実施するための最良の形態】
【０００８】
第１の発明は、電動送風機を配置した電動送風機室と、前記電動送風機室と仕切壁を介して併設され、塵埃を収集する集塵室と、前記集塵室の開口部を開閉自在に覆う集塵室蓋と、前記集塵室の開口縁部または前記仕切壁の上端に設けられた弾性を有するパッキンと、前記パッキンの外周に、弾性体からなるプロテクターを備え、前記プロテクターを略透明からなる材料で形成した電気掃除機としたもので、集塵室蓋やパッキンの成型不良や部品不良、またはパッキンの誤組立などで、パッキンと集塵室蓋が当接していない場合でも、衝突時の衝撃を緩和するプロテクターが略透明のため、作業者は本体を分解することなく、外から発見することができる。
【０００９】
第２の発明は、特に第１の発明のプロテクターとパッキンを一体に形成したもので、部品点数の削減になる。
【００１０】
第３の発明は、特に第１または第２の発明に加えて、本体上と本体下から構成される掃除機本体を備え、プロテクターは前記本体上と本体下で狭持されるとともに、前記プロテクターの上方あるいは下方にはリード線を通す溝部を設けた電気掃除機としたので、リード線が正規の位置にセットされていない場合や部品間で噛み込んでいても分解することなく発見することができる。
【００１１】
第４の発明は、特に第１〜３のいずれか１つの発明のプロテクターに、他の部品に取り付けるための係止部材を形成したもので、プロテクターの他の部品への固定、取り付けが極めて容易で、かつ確実にできるものである。
【００１２】
第５の発明は、特に、第１〜４のいずれか１つの発明のプロテクター表面に凹凸を設けたもので、凹凸の大きさ等を変えることでプロテクターの透明度合を変化させ、外観上のデザイン性を容易に変える事ができると共に、走行時に家具、壁などに当たっても、点或いは線接触になるので摩擦抵抗が小さくなり、その家具、壁から掃除機本体を容易に回避させることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における電気掃除機の全体構成を示す斜視図および要部断面図である。
【００１５】
図１において、電気掃除機の掃除機本体１０の外郭は本体カバー下１７と、本体カバー上１８と、集塵室４０を開閉自在に覆う集塵室蓋５５から構成され、本体カバー下１７の前部には、ホース（図示せず）が接続されると共に、集塵室４０に連通する吸気口６０が設けられている。７０は、透明エラストマーで成形された部材であるプロテクターで、略Ｕ字状に形成され、本体カバー下１７の前部から両側部にかけて取着されている。図１（ｂ）は、プロテクター７０及びその取り付け部の構成を示す断面図で、プロテクター７０は集塵室蓋５５と当接し、集塵室４０を気密に保つためのパッキン部７０ａを備えている。プロテクター７０の下部で、本体カバー下１７に設けられた溝部１７ａには、リード線５０をセットしている。
【００１６】
上記構成を備えた電気掃除機の動作、作用は以下の通りである。
【００１７】
集塵室蓋５５やパッキン部７０ａの成型不良や部品不良、またはパッキン部７０ａの誤組立などで、パッキン部７０ａと集塵室蓋５５が当接していない場合でも、プロテクター７０が透明のため、作業者は本体を分解することなく、外から発見することができる。また、リード線５０が正規の位置にセットされていない場合でも分解することなく発見することができる。また、プロテクター７０と対向する部品であれば、各部品の異常や誤組立も分解することなく発見できる。
【００１８】
（実施の形態２）
図２は、本発明の第２の実施の形態における電気掃除機の全体構成を示す斜視図で、図３は、同電気掃除機の側面図、図４は、同電気掃除機の上面図、図５は、同電気掃除機の正面図、図６は同電気掃除機の断面図、図７は同電気掃除機の要部断面図である。
【００１９】
図２において、１０は、掃除機本体で、前部にホース１１の一端が着脱自在に接続される吸気口１２が設けられている。前記ホース１１の他端には、ハンドル１３を有する先端パイプ１４が設けられている。１５は、延長管で、一端は先端パイプ１４に着脱自在に接続され他端は吸込具の１つである床面掃除用の床用吸込具１６に着脱自在に接続されている。
【００２０】
図３〜図５において、掃除機本体１０の外郭は、本体カバー下１７と、本体カバー上１８から構成され、後方側面に１対の走行用のローラー１９が回転自在に軸支され、本体カバー下１７の前部底面には、キャスター２０が回転自在に軸支されている。本体カバー上１８の後面には、後述のモータ２７の排気を外部に排出するための排気口２１と、掃除機本体１０を収納用に後面を下にして立てておく際にローラー１９と共に接地するレスト２２が設けられている。
【００２１】
２３は、掃除機本体１０を持ち運ぶための本体ハンドルで、本体カバー上１８に起倒自在に取着されている。２４は、吸気口１２から空気と共に吸引された塵埃を捕集する集塵室となるダストボックスで、掃除機本体１０に装着自在に設けられると共に、その外郭は、透明又は半透明材料から形成され、表面に塵埃を捨てる目安となるゴミすてラインを表示している。２５は、掃除機本体１０に内蔵された後述のコードリール２９を操作するためのブレーキボタンである。
【００２２】
２６は、略Ｕ字上に形成され衝撃を吸収する部材であるプロテクターで、本体カバー下１７と本体カバー上１８を跨ぐように、かつそれらの前部及び側部の一部を覆うように取り付けられ、前部にホース１１の一端が貫通する開口部ａ２６ａが設けられている。
【００２３】
図６において、掃除機本体１０の後部には、吸引力を発生させる電動送風機であるモータ２７を内蔵するモータ室２８と、電源コード２９ａを巻き取るコードリール２９と、ブレーキボタン２５に連動すると共にコードリール２９による電源コード２９ａの巻き取りを制動するブレーキ３０が配されている。３１は、モータ２７から外部にでる騒音を低減する為のモータカバーで、モータ２７を覆うように配されている。モータ２７は、その前後を弾性材料から形成されモータ２７から掃除機本体１０に伝わる振動を低減させるためのサポートゴム３２を介して、モータ室２８に収納されている。
【００２４】
３３は、本体カバー下１７の底面に取り外し可能に取着された電源コードカバーで、コードリール２９の取り付け、サービス時に開閉するものである。
【００２５】
掃除機本体１０の前部には、ダストボックス２４を取出し自在に収納するダストボックス室３４が配され、モータ室２８とダストボックス室３４とは、格子状の開口部３５ａを有する隔壁３５で仕切られている。
【００２６】
ダストボックス２４には、吸引された空気に含まれる塵埃を捕集する集塵室（図示せず）が配され、後部には、集塵室で捕集し切れなかった細塵を捕集するためのフイルター２４ａと、ダストボックス２４をダストボックス室３４に収納した時に隔壁３５との間でシールする為のダストパッキン２４ｂが設けられ、上部には、ダストボックス２４の持ち運び用のダストハンドル２４ｃが設けられている。さらに、ダストボックス２４の底部には、集塵室及びフイルター２４ａで捕集された塵埃を取出すためのダストボックス蓋２４ｄが設けられ、前部上方には前記ダストボックス蓋２４ｄの開成操作を行なうためのダスト開閉ボタン２４ｅが設けられている。
【００２７】
２４ｆは、ダストボックス２４の前部に設けられ集塵室と連通する吸気口で、その開口縁は、ダストボックス２４をダストボックス室３４に収納した時に、掃除機本体１０の吸気口２１の後端に設けた吸気口パッキン３６に密着するようになっている。３７は、掃除機本体１０の前部に吸気口２１の周囲を覆うように設けられた本体カバー前である。
【００２８】
図７は、プロテクター２６の構成並びにその取り付け構造を示すもので、プロテクター２６は、透明エラストマ−から形成される弾性体部２６ｃと、ＡＢＳ、ＰＰ、ＰＳなどの硬質樹脂からなり前記弾性体部２６ｃに二層成型で一体的に成型された係止部材２６ｄから構成され、本体カバー下１７と本体カバー上１８を組み立てる際に、係止部材２６ｄを本体カバー下１７、本体カバー上１８のそれぞれに形成した取り付け部１７ａ、１８ａに嵌合させて取り付けている。また、弾性体部は集塵室の表面のゴミすてラインが見える位置に設けている。また、プロテクターの上方には、本体１０に内蔵された電動送風機を制御する制御部（図示せず）から先端パイプ１４に設けられたスイッチ（図示せず）をつなぐリード線５０をセットしている。
【００２９】
なお、弾性体部２６ｃへの係止部材２６ｄの固定は、接着又は溶着でも良い。また、表面に凹凸２６ｆを設けている。
【００３０】
上記構成を備えた電気掃除機の動作、作用は以下の通りである。
【００３１】
先端パイプ１４に設けたスイッチ（図示せず）を操作すると、モータ２７の運転が開始し、それによる吸引力により、床面の塵埃が空気と共に、床用吸込具１６から吸引され、延長管１５、ホース１１、吸気口１２、ダストボックス２４の吸気口２４ｆを通って、集塵室に流入する。集塵室で、塵埃が分離、捕集され、空気に含まれる細塵はフイルター２４ａで捕集されさらにきれいになった空気は、隔壁３５の開口部３５ａを通ってモータ２７に流入した後、排気口２１より、外部に排出される。
【００３２】
ダストボックス２４の集塵室で捕集された塵埃及びフイルター２４ａで捕集された細塵は、ダストボックス２４をダストボックス室３４から取出し、ごみ箱上で、ダスト開閉ボタン２４ｅを操作して、ダストボックス蓋２４ｄを開成することにより、自然落下して、廃棄することができる。
【００３３】
このように、本実施の形態によれば、プロテクター２６を透明の材質としているので、組み立て時に噛みこんで、変形したまま無理やり組み立てられることがあっても、プロテクターが透明のため、作業者は本体を分解することなく、外から発見することができる。また、万が一リード線５０が噛みこんだ場合も、容易に外から発見することができる。
【００３４】
また、ダストボックス２４の外郭を透明材料で形成し、その外周部分に透明のプロテクター２６を両側部に設けているので、プロテクター２６を通して、集塵室の内部、すなわち塵埃の溜まり具合が外部から一目で分かるようにすることができる。また、ゴミすてラインもプロテクター２６を通して見ることができ、都度ダストボックス２４を外して内部の塵埃のたまり具合をチェックする必要が無く、使用勝手が非常に良いものである。
【００３５】
また、硬質樹脂から形成される係止部材２６ｄを弾性体部２６ｃと一体成型する事により、プロテクター２６の掃除機本体１０の外郭部分等への固定、取り付けが極めて容易で、かつ確実にできるものである。
【００３６】
なお、本実施の形態では、係止部材２６ｄを樹脂材料で形成したが、金属で形成し、それに弾性体部２６ｃを一体に成型しても良い。
【００３７】
また、弾性体部２６ｃと一般に硬質材料からなる係止部材２６ｄとを接着することで、
組み立て性が向上する。表面に凹凸２６ｆを設けるようにすれば、凹凸の大きさ等を変えることで外観上のデザイン性を容易に変える事ができると共に、走行時に家具、壁などに当たっても、点或いは線接触になるので摩擦抵抗が小さくなり、その家具、壁等から掃除機本体が容易に回避することができる。
【００３８】
（実施の形態３）
図８は、本発明の第３の実施の形態における電気掃除機の掃除機本体に接続される各種部品の斜視図である。
【００３９】
なお、上記実施の形態と同一部分については同一符号を付してその説明を省略する。
【００４０】
本実施の形態は、上記第１の実施の形態におけるプロテクター２６を、掃除機本体１０に連通するように接続されるホース１１、延長管１５、床用吸込具１６及び、掃除用アタッチメントの１つである棚ブラシ４１に用いるものである。
【００４１】
図８（ａ）において、１１ａは、ホース１１の一端に設けられ、掃除機本体１０の吸気口１２に接続するための接続パイプで、この接続パイプ１１ａやホース１１の他端に設けた先端パイプ１４は、一般にＡＢＳ、ＰＳ等の硬質樹脂で成型されており、掃除中や、掃除後の後片付け時に取り落とすと、床や近くの家具、机等に大きな傷をつけることになるために、図８（ａ）に示すように、ホース１１の接続パイプ１１ａ、先端パイプ１４の先端側及びハンドル１３のそれぞれの外周に、プロテクター３８ａ〜３８ｃを第１の実施の形態と同様に設けたものであり、プロテクター２６を略透明の材質としているので、組み立て時に噛みこんで、変形したまま無理やり組み立てられることがあっても、作業者は本体を分解することなく、外から発見することができる。
【００４２】
図８（ｂ）は、１対の延長管１５を示すもので、後片付け時に、延長管１５をとかく取り落としがちのため、それぞれの延長管１５の両端の外周に、プロテクター３９ａ、３９ｂを第１の実施の形態と同様に設けたものであり、プロテクター２６を略透明の材質としているので、組み立て時に噛みこんで、変形したまま無理やり組み立てられることがあっても、作業者は本体を分解することなく、外から発見することができる。
【００４３】
さらに、図８（ｃ）は、特に床用吸込具１６は、部屋の壁や、家具、机の脚などに衝突する頻度が高いので、床用吸込具１６の前部から両側部にかけて、プロテクター４０ａを第１の実施の形態と同様に設けたものであり、プロテクター２６を略透明の材質としているので、組み立て時に噛みこんで、変形したまま無理やり組み立てられることがあっても、作業者は本体を分解することなく、外から発見することができる。
【００４４】
また、図８（ｄ）は、掃除用アタッチメントの１つである棚ブラシ４１は特に、家具、棚、引き出しなどを掃除するのに良く用いられるものなので、全周に渡って、プロテクター４２を第１の実施の形態と同様に設けた例を示すもので、プロテクター２６を略透明の材質としているので、組み立て時に噛みこんで、変形したまま無理やり組み立てられることがあっても、作業者は本体を分解することなく、外から発見することができる。
【００４５】
なお、プロテクター３８ａ〜３８ｃ、３９ａ、３９ｂ、４０ａ、４０ｂ、４２の各部品への取り付けは、第１の実施の形態と同様に硬質樹脂からなる係止部材をプロテクターに一体的に形成し、それを各部品に係止するようにしても良く、また接着剤、両面接着剤等で接着しても良く、さらには各部品に超音波或いは熱溶着して取り付けるようにしても良い。
【産業上の利用可能性】
【００４６】
以上のように、本発明にかかる電気掃除機は、組み立て時の部品の誤組立や部品不良を容易に発見できるもので、各種清掃機器に適用できるものである。
【図面の簡単な説明】
【００４７】
【図１】（ａ）本発明の実施の形態１における電気掃除機の全体斜視図（ｂ）同、要部断面図
【図２】本発明の実施の形態２における電気掃除機の全体斜視図
【図３】同電気掃除機の側面図
【図４】同電気掃除機の上面図
【図５】同電気掃除機の正面図
【図６】同電気掃除機の断面図
【図７】同電気掃除機の要部断面図（図２のＡ−Ａ断面）
【図８】（ａ）本発明の実施の形態３における電気掃除機のホースの斜視図（ｂ）同電気掃除機の延長管の斜視図（ｃ）同電気掃除機の床用吸込具の斜視図（ｄ）同電気掃除機に使用される棚ブラシの斜視図
【図９】従来の電気掃除機の全体斜視図および要部断面図
【符号の説明】
【００４８】
１０  掃除機本体
１７  本体カバー下（外郭）
１８  本体カバー上（外郭）
４０  集塵室
５５  集塵室蓋
７０  プロテクター
７０ａ  パッキン部
【図１】
2006320457.tif 000003
【図２】
2006320457.tif 000004
【図３】
2006320457.tif 000005
【図４】
2006320457.tif 000006
【図５】
2006320457.tif 000007
【図６】
2006320457.tif 000008
【図７】
2006320457.tif 000009
【図８】
2006320457.tif 000010
【図９】
2006320457.tif 000011